(57)【要約】      （修正有）【課題】薬の飲み忘れを防ぐために、月めくりカレンダーを用いて共通の薬剤収納プレートに日付を付与する薬剤収納ボックスプレートを提供する。【解決手段】日割り区分が日曜日から土曜日に至る横７列縦５段の枡目に配列された通常の月めくりカレンダーを用い、カレンダーの日割り区分と同一の配列で横７列縦５段の３５個の収納ボックスを配列してなる共通プレートを月めくりカレンダー上に吊り下げ共通プレートの薬剤収納ボックス２１に日付を付与し、表示することができる。【選択図】図１
0003170183.tif 000002
【実用新案登録請求の範囲】
【請求項１】
横７個一列縦５段に配列してなる月めくりカレンダーの日割り区分１１と同じ区分で日割りされた薬剤収納ボックス２１を横７個一列、縦５段に配列し、突設してなる共通プレート２０を月めくりカレンダー１０の前面に、配置し、共通プレート２０の薬剤収納ボックス２１に各月めくりカレンダー１０の日付を付与して表示することを特徴とする日割り薬剤収納ボックスプレート。
【請求項２】
前記共通プレート２０は吊り下げ紐２２で月めくりカレンダーの前面に止め金具１２を介して吊り下げ配置され、前記薬剤収納ボックス２１は圧縮して折り畳み可能な薄手樹脂シートから形成されている請求項１記載の日割り薬剤収納ボックスプレート。
【考案の詳細な説明】
【技術分野】
【０００１】
この考案は、薬の飲み忘れを防ぐために日付ごとに薬入れを備えた、薬剤収納ボックスプレートに関するものであって、各月共通の薬剤収納プレートに対し日割り月めくりカレンダーを用いて各月特有の日付を付与することができる薬剤収納ボックスプレートに関するものである。
【背景技術】
【０００２】
従来より、薬は薬袋に保管し、カレンダーには残薬数等を記入したり、カレンダーに袋を設け、薬の服用を管理していた。これには次のような欠点があった。（イ）薬の飲み忘れやカレンダーへの記入忘れがあり、残薬数が合わなくなり薬を重服してしまった。
（ロ）毎日のカレンダーへの記入が面倒であった。
（ハ）毎年カレンダーの形状が変わり、カレンダーに袋付けなどの細工をすると毎年毎月のカレンダーが必要になり、機能上及び見映えの上で不満な点があった。そこで、ボード本体に薬入れボックスを固定し、月別プレート及び日別プレートをボード本体に差し込み、薬剤収納ボックスカレンダーを構成する発明が提案されている（特許文献１）。
【先行技術文献】
【特許文献】
【０００３】
【特許文献１】特開２００２−１２３１７３号
【考案の開示】
【考案が解決しようとする課題】
【０００４】
しかしながら、ボード本体に薬入れボックスを固定させ一体化し、さらに付属の月別プレートだけでなく、升目だけのカレンダーボードに日別プレートを暦を見ながら挿入して各月の薬剤収納ボックスを作成するのはなかなか手間がかかるもので、しかも配列を間違いやすいという欠点がある。
【課題を解決するための手段】
【０００５】
本考案は、通常使用される月めくりカレンダー１０の日付を利用して各月共通の薬剤収納プレート２０に各月特有の日割り区分が施せる日割り薬剤収納ボックスプレートを提供することを課題とするもので、月めくりカレンダーの日割り区分１１に当て嵌まる日割り薬剤収納ボックス２１を横７列縦５段の３５個配列して構成される日割り薬剤収納プレート２０とからなり、該日割り薬剤収納プレート２０を各月の月めくりカレンダー１０の前面に吊り下げ等で配置して各月共通のプレート薬剤収納ボックスに日付を付与することを特徴とする薬剤収納ボックスプレートにある。
【考案の効果】
【０００６】
本考案によれば、日割り薬剤収納ボックス２１を横７列縦５段３５個配列して構成される日割り薬剤収納プレート２０をそれに対応する日割り区分された各月めくりカレンダー上に配置するだけで各月の日付により薬剤収納ボックスを日割り特定することができるので、各月毎の薬剤収納ボックスの日割り付けが正確でかつ容易である。これには次のような効果がある。
（イ）毎月のカレンダーに細工する手間がかからない。
（ロ）共通の薬剤収納プレート１枚で１２ヶ月の薬剤収納日割りが可能であり、翌年、翌々年も永久的に利用できる。
（ハ）薬と暦の関係が明確となり、薬の飲み忘れなどがなくなる。
（ニ）カレンダーに健康上の注意をメモ書きすることができるので、薬服用の管理とともに健康管理に対する日常的な習慣が生まれる。
【図面の簡単な説明】
【０００７】
【図１】本考案の第１実施例である横７列縦５段３５個の薬剤収納ボックスカレンダーの組立斜視図である。
【考案を実施するための形態】
【０００８】
本考案は通常の月めくりカレンダー１０と各月共通の薬剤収納プレート２０とからなる。
図１の第１実施例においては月めくりカレンダー１０は通常のカレンダーの配列、すなわち所定の面積を付与された日割り区分１１の枡目（例えば横５ｃｍ×縦６．５ｃｍ）が横７個一列（週７日）で且つ縦５段の３５個配列されている。２０１１年７月の場合、３１日は、５段目の日曜日に２４／３１と連記される。
【０００９】
他方、薬剤収納プレート２０は月めくりカレンダー１０の日割り区分１１と同じ区分で日割りされた薬剤収納ボックス２１を横７個を一列、縦５段に配置した３５個が透明樹脂プレート上に突設される。各ボックス２１は薄手の透明樹脂シートで底面幅４．５×前方４ｃｍの寸法に形成され、前方に向かって高さが減少する断面台形（前２ｃｍ×後３．５ｃｍ）をなし、上部が開放された台形箱型をなしているので、圧縮可能であるが所定のボックス強度を維持し、かつ薬剤の収納取り出しを容易にしている。
【００１０】
プレート２０は各月共通である。各月の月めくりカレンダー１０の壁掛けピン等に吊り下げ紐２２で結び合わせることにより月めくりカレンダー１０の上に止め金具１２を介して配置することができるようになっており、共通のプレート薬剤収納ボックス２１に各月の日付が付与される。プレート２０は硬質の透明樹脂、例えばポリカーボネイトで形成し、ボックス部２１は薄手の樹脂で圧縮可能に形成するのが嵩張りなく収納運搬できるので好ましい。
【００１１】
本考案においては通常使用される月めくりカレンダー１０を利用して日割り区分を付与するので、カレンダーの日割り区分１１と薬剤収納プレート２０のボックス２１の大きさを合わせることが肝要であり、ボックスの形状は種々の形状を採用することができる。
【符号の説明】
【００１２】
１０  月めくりカレンダー
１１  日割り区分
２０  ボックスプレート
２１  薬剤収納ボックス
【図１】
0003170183.tif 000003
【手続補正書】
【提出日】平成23年7月1日(2011.7.1)
【手続補正１】
【補正対象書類名】実用新案登録請求の範囲
【補正対象項目名】全文
【補正方法】変更
【補正の内容】
【実用新案登録請求の範囲】
【請求項１】
横７個一列縦５段に配列してなる月めくりカレンダーの日割り区分１１と同じ
区分で日割りされた透明樹脂製薬剤収納ボックス２１を横７個一列、縦５段に
配列し、突設してなる透明樹脂製共通プレート２０を月めくりカレンダー１０
の前面に、配置し、共通プレート２０の薬剤収納ボックス２１に各月めくりカ
レンダー１０の日付を付与して表示することを特徴とする日割り薬剤収納ボッ
クスプレート。
【請求項２】
前記共通プレート２０は吊り下げ紐２２で月めくりカレンダーの前面に止め金
具１２を介して吊り下げ配置され、前記薬剤収納ボックス２１は圧縮して折り
畳み可能な薄手樹脂シートから形成されている請求項１記載の日割り薬剤収納
ボックスプレート。